【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置において、
前記電気光学パネルで前記第２の表示用基板の前記第２の偏光部材が配置されている側の面には、当該第２の表示用基板の周辺部を除く中央領域全体を薄くする凹部が形成され、
当該凹部内に前記第２の偏光部材が配置されていることを特徴とする入力パネル付き電気光学装置。
【請求項２】  請求項１において、前記第２の表示用基板は、前記第１の表示用基板よりも薄い基板から構成されていることを特徴とする入力パネル付き電気光学装置。
【請求項３】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置において、
前記電気光学パネルで前記第１の表示用基板の前記第１の偏光部材が配置されている側の面には、当該基板の周辺部を除く中央領域全体を薄くする凹部が形成され、
当該凹部内に前記第１の偏光部材が配置されていることを特徴とする入力パネル付き電気光学装置。
【請求項４】  請求項３において、前記第１の表示用基板は、前記第２の表示用基板よりも薄い基板から構成されていることを特徴とする入力パネル付き電気光学装置。
【請求項５】  請求項３または４において、前記第１の表示用基板に形成されている前記凹部内には樹脂が充填されていることを特徴とする入力パネル付き電気光学装置。
【請求項６】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置において、
前記電気光学パネルで前記第１の表示用基板の前記第１の偏光部材が配置されている側の面には、当該基板の周辺部を除く中央領域全体を薄くする第１の凹部が形成されているとともに、当該第１の凹部内に前記第１の偏光部材が配置され、
前記第２の表示用基板の前記第２の偏光部材が配置されている側の面には、当該基板の周辺部を除く中央領域全体を薄くする第２の凹部が形成されているとともに、当該第２の凹部内に前記第２の偏光部材が配置されていることを特徴とする入力パネル付き電気光学装置。
【請求項７】  請求項１ないし６のいずれかにおいて、前記電気光学パネルには、前記第１の表示用基板あるいは前記第２の表示用基板において前記凹部の外周側に位置する厚手領域に半導体装置が実装されていることを特徴とする入力パネル付き電気光学装置。
【請求項８】  請求項１ないし７のいずれかに規定する入力パネル付き電気光学装置を備えていることを特徴とする電子機器。
【請求項９】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置の製造方法において、
前記電気光学パネルを製造する際には、
前記第１の表示用基板より大型の第１の大型基板と前記第２の表示用基板より大型の第２の大型基板とを前記シール材で貼り合わせて大型のパネル構造体とする貼り合わせ工程と、
前記パネル構造体において前記第２の表示用基板として切り出される領域の中央領域を除いて当該パネル構造体をマスク材で覆うマスキング工程と、
当該パネル構造体にエッチングを施して前記第２の表示用基板表面の中央領域に前記第２の偏光部材の厚さよりも深い凹部を形成するエッチング工程と、
前記パネル構造体を切断する切断工程と
を有することを特徴とする入力パネル付き電気光学装置の製造方法。
【請求項１０】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置の製造方法において、
前記電気光学パネルを製造する際には、
前記第１の表示用基板より大型の第１の大型基板と前記第２の表示用基板より大型の第２の大型基板とを前記シール材で貼り合わせて大型のパネル構造体とする貼り合わせ工程と、
前記パネル構造体において前記第１の表示用基板として切り出される領域の中央領域、および前記第２の表示用基板として切り出される領域の中央領域を除いて当該パネル構造体をマスク材で覆うマスキング工程と、
当該パネル構造体にエッチングを施して前記第１の表示用基板表面の中央領域に前記第１の偏光部材の厚さよりも深い凹部を形成し、前記第２の表示用基板表面の中央領域に前記第２の偏光部材の厚さよりも深い凹部を形成するエッチング工程と、
前記パネル構造体を切断する切断工程と
を有することを特徴とする入力パネル付き電気光学装置の製造方法。
【請求項１１】  第１の表示用基板と第２の表示用基板とが所定の間隙を介してシール材で貼り合わされ、当該基板間で前記シール材によって区画された領域内に電気光学物質が保持された電気光学パネルと、該電気光学パネルに対して前記第１の表示用基板の側に重ねて配置された入力パネルと、当該入力パネルと前記電気光学パネルの間に重ねて配置された第１の偏光部材と、前記電気光学パネルに対して前記入力パネルとは反対側に重ねて配置された第２の偏光部材とを有する入力パネル付き電気光学装置の製造方法において、
前記電気光学パネルを製造する際には、
前記第１の表示用基板より大型の第１の大型基板と前記第２の表示用基板より大型の第２の大型基板とを前記シール材で貼り合わせて大型のパネル構造体とする貼り合わせ工程と、
前記パネル構造体において前記第１の表示用基板として切り出される領域の中央領域を除いて当該パネル構造体をマスク材で覆うマスキング工程と、
当該パネル構造体にエッチングを施して前記第１の表示用基板表面の中央領域に前記第１の偏光部材の厚さよりも深い凹部を形成するエッチング工程と、
前記パネル構造体を切断する切断工程と
を有することを特徴とする入力パネル付き電気光学装置の製造方法。
【請求項１２】  請求項１１または１２のいずれかにおいて、前記第１の表示用基板に形成されている前記凹部内に前記第１の偏光部材を配置した後、当該第１の凹部内に樹脂を充填することを特徴とする入力パネル付き電気光学装置。
【請求項１３】  請求項１０ないし１２のいずれかにおいて、前記マスク材は、フィルム、塗膜、およびレジスト膜のうちのいずれかであることを特徴とする入力パネル付き電気光学装置の製造方法。
【請求項１４】  請求項１０ないし１３のいずれかにおいて、前記基板間で前記シール材によって区画された領域内に前記電気光学物質を保持させるにあたっては、
前記シール材の途切れ部分からなる注入口から前記基板間に前記電気光学物質を注入した後、流体圧を利用して余剰な電気光学物質を当該基板間から前記注入口を経て押し出し、しかる後に当該注入口を封止することを特徴とする入力パネル付き電気光学装置の製造方法。